(57)【要約】【課題】  靴下を洗濯後、洗濯物の中から靴下のペアを探すのは大変だった。  本発明は、靴下などの小さなものを洗濯する場合は、一組ずつ分けて入れられるように数部屋に分かれ、シャツなどの大きなものを洗濯する場合は大きな一部屋になるように、開閉出来る仕切りを設けたことを特徴とする洗濯ネットを提供する。【解決手段】  メッシュなどの素材で形成した洗濯ネットに於いて、袋の内部を複数の部屋に仕切る仕切り部を複数個設け、仕切り部は、各部屋ごとに隣室との仕切りを閉じたり開けたり自由にできるように、複数個のスナップやボタンなどを設け、留め外し可能にし、袋口はファスナー式等としたことを特徴とする洗濯ネット。【選択図】図１
2012081224.tif 000002
【特許請求の範囲】
【請求項１】
メッシュなどの素材で形成した洗濯ネットに於いて、袋の内部を複数の部屋に仕切る仕切り部を複数個設け、仕切り部は、各部屋ごとに隣室との仕切りを閉じたり開けたり自由にできるように、複数個のスナップやボタンなどを設け、留め外し可能にし、袋口はファスナー式等とし、各部屋ごとではなく全部屋に連なる一つの開閉口としたことを特徴とする洗濯ネット。
【請求項２】
長方形の数部屋に仕切り、その各部屋の長辺にファスナーなどの開閉口を設けたことを特徴とする洗濯ネット。
【請求項３】
長辺にファスナーなどの開閉口を設けた長方形の袋状のネットを重ね合わせ、開閉口側を接続したことを特徴とする洗濯ネット。
【発明の詳細な説明】
【技術分野】
【０００１】  本発明は、洗濯ネットを数部屋に仕切るために、仕切り部を設けたことを特徴とする洗濯ネットに関することである。
【背景技術】
【０００２】  従来、洗濯ネットは数組の靴下などをまとめて１つの袋に入れて洗濯するので、洗濯後に靴下のペアを探すのが大変だった。
数部屋に仕切りを設けた洗濯ネットは、仕切りが縫い付けてあり開閉できず、小さなものしか洗濯できなかった。
あるいは、部屋数を多くしてしまうと各袋口が狭くなり、洗濯物が入れにくかった。
【先行技術文献】
【０００３】
【特許文献１】  登録実用新案登録第３００３４７０号公報
【特許文献２】  登録実用新案第３１３０７２９号公報
【特許文献３】  実開平５−９４７８号公報
【特許文献４】  特開平１１−３１９３６９号公報
【特許文献５】  特開２００１−４６７８３号公報
【特許文献６】  特開２０００−２４５９９２号公報
【発明の概要】
【発明が解決しようとする課題】
【０００４】  従来の洗濯ネットは、数組の靴下などを他の洗濯物と一緒の袋に入れて洗濯するので、洗濯後に靴下のペアを探すのが大変だった。
また、数部屋に仕切られた洗濯ネットは、仕切りを開閉できず、小さめの洗濯物しか洗濯できなかった。
あるいは、「特許文献２」のように数部屋に仕切られた洗濯ネットは、各部屋の入り口が狭く、靴下などを縦に入れるためネットに引っかかりやすかった。
そして、「特許文献６」のように数枚のネットを重ね外側を縫い付けてしまうと、内側の洗濯物に洗剤が届きにくかった。
本発明は、この課題を解消するためになされたものである。
【課題を解決するための手段】
【０００５】  以下、課題を解決する手段１について説明する。
（イ）メッシュなどの素材で形成した洗濯ネットに於いて、袋の内部を複数の部屋に仕切る仕切り部を複数個設ける。
仕切り部は、各部屋ごとに隣室との仕切りを閉じたり開けたり自由にできるように、複数個のスナップやボタンなどを設け、留め外し可能にする。
（ロ）袋口はファスナー式等とし、各部屋ごとではなく全部屋に連なる一つの開閉口とする。
以上のように構成された洗濯ネットである。【０００６】  以下、課題を解決する手段２について説明する。
（イ）メッシュなどの素材で形成した洗濯ネットに於いて、袋の内部を複数の部屋に仕切る仕切り部を設ける。
（ロ）仕切り部の両脇にファスナーなどで開閉口を設ける。
（ハ）隣り合ったファスナーの持ち手どうしを紐で繋ぐ。
以上のように構成された洗濯ネットである。【０００７】  以下、課題を解決する手段３について説明する。
（イ）長方形の洗濯ネットの長辺の端から数ｃｍ離れたところにファスナーなどで開閉口を設ける。
（ロ）これと同じものを数枚重ね合わせ、開閉口側の端を数箇所留める。
以上のように構成された洗濯ネットである。
【発明の効果】
【０００８】  以下、解決手段１に対する効果を説明する。
この洗濯ネットのスナップを留め、数部屋に仕切った状態で使用する場合、靴下などを一組ずつ別々の部屋に入れ洗濯すれば、洗濯後ばらばらにならない。
また、洗濯ネットのスナップを外した状態で使用すれば、シャツなどの少し大きめの衣類も洗濯できる。【０００９】  以下、解決手段２に対する効果を説明する。
靴下などを一組ずつ別々の部屋に分けて洗濯するので、洗濯後ばらばらにならない。
長方形の各部屋の長辺にファスナーなどを設けているので開閉口が広く、靴下などを横向きに入れられるのでネットに引っかかりにくい。【００１０】  以下、解決手段３に対する効果を説明する。
靴下などを一組ずつ別々の部屋に分けて洗濯するので、洗濯後ばらばらにならない。
長方形の各部屋の長辺にファスナーなどを設けているので開閉口が広く、靴下などを横向きに入れられるのでネットに引っかかりにくい。
各部屋が独立しているので、すべての洗濯物に洗剤が行き渡る。
洗濯ネット本体が平面ではなく立体的なので、他の洗濯物に絡まりにくい。
【図面の簡単な説明】
【００１１】
【図１】  本発明の正面図である。
【図２】  本発明の実施例を示した斜視図である。
【図３】  本発明の他の実施例を示した斜視図である。
【図４】  本発明の一部である仕切り部を閉じた状態を示した平面図である。
【図５】  本発明の一部である仕切り部を開いた状態を示した平面図である。
【図６】  本発明の別の実施例を示した正面図である。
【図７】  本発明の正面図である。
【図８】  本発明の実施例を示した斜視図である。
【図９】  本発明の斜視図である。
【図１０】  本発明の実施例を示した斜視図である。
【図１１】  本発明の分解斜視図である。
【発明を実施するための形態】
【００１２】  以下、本発明の実施例１の形態について説明する。
（イ）メッシュなどの素材で形成した洗濯ネットに於いて、袋の内部を複数の部屋に仕切る仕切り部（１）を複数個設ける。
仕切り部（１）は、各部屋ごとに隣室との仕切りを閉じたり開けたり自由にできるように、複数個のスナップ（２）やボタンなどを設け、留め外し可能にする。
（ロ）袋口はファスナー（３）式等とし、各部屋ごとではなく全部屋に連なる一つの開閉口とする。
以上のように構成された洗濯ネットである。
これを使用するときは、靴下（４）などの小さい物を洗濯する場合はスナップ（２）を留め数部屋に仕切り、それぞれの部屋に靴下（４）などを入れ洗濯する。
シャツ（５）などの大きいものを洗濯する場合はスナップ（２）を外し、大きな部屋にして使用する。
【００１３】  以下、本発明の実施例２の形態について説明する。
（イ）メッシュなどの素材で形成した洗濯ネットに於いて、袋の内部を複数の部屋に仕切る仕切り部ａ（６）、仕切り部ｂ（７）、仕切り部ｃ（８）を設ける。
（ロ）仕切り部ａ（６）から約１ｃｍ離れた両側に縦に切れ込みを入れ、ファスナー（３）などを取り付ける。
同様に仕切り部ｃ（８）にもファスナー（３）を取り付ける。
（ハ）隣り合ったファスナー（３）の持ち手どうしを紐（９）で繋ぐ。
これを使用するときは、紐（９）を引っぱりファスナー（３）を開け、靴下（４）などの小さめの洗濯物を入れ洗濯する。
【００１４】  以下、本発明の実施例３の形態について説明する。
（イ）長方形の洗濯ネットの長辺の端から数ｃｍ離れた所にファスナー（３）などで開閉口を設ける。
（ロ）これと同じものを数枚重ね合わせ、開閉口側の端を数箇所留める。
以上のように構成された洗濯ネットである。
これを使用するときは、各部屋に靴下（４）などの小さめの洗濯物を入れ洗濯する。
【符号の説明】
【００１５】１  仕切り部
２  スナップ
３  ファスナー
４  靴下
５  シャツ
６  仕切り部ａ
７  仕切り部ｂ
８  仕切り部ｃ
９  紐
【図１】
2012081224.tif 000003
【図２】
2012081224.tif 000004
【図３】
2012081224.tif 000005
【図４】
2012081224.tif 000006
【図５】
2012081224.tif 000007
【図６】
2012081224.tif 000008
【図７】
2012081224.tif 000009
【図８】
2012081224.tif 000010
【図９】
2012081224.tif 000011
【図１０】
2012081224.tif 000012
【図１１】
2012081224.tif 000013